(57)【要約】【課題】撮像装置において、防水性を維持しつつレンズユニットの回動操作をスムーズに行うことができるようにする。【解決手段】撮像装置１は、円形状の内周面１２が前後方向に延びるように形成された外筒部１０（装置本体２）と、外周面２２と内周面１２との間に円環状の間隙３０が形成されかつ外筒部１０に対し回動操作可能なるように外筒部１０内に収容された円筒状のレンズユニット２０と、間隙３０に配設された円環状の防水部材４０と、を備えている。防水部材４０は、内周面１２に対向し、内周面１２に当接した状態で防水部材４０の半径方向内側および外側に弾性変形可能な外側変形部４２，４２と、外周面２２に対向し、外周面２２に当接した状態で防水部材４０の半径方向内側および外側に弾性変形可能な内側変形部４３，４３とを有する。【選択図】図６
2019002945.tif 000002
【特許請求の範囲】
【請求項１】
円形状の内周面が前後方向に延びるように形成された開口部を有する装置本体と、
内部にレンズ部が設けられ、外周面と前記開口部の内周面との間に円環状の間隙が形成されかつ前記装置本体に対し回動操作可能となるように該開口部内に収容された円筒状のレンズユニットと、
前記間隙に配設された円環状の防水部材と、を備え、
前記防水部材は、
前記開口部の内周面に対向し、該内周面に当接した状態で前記防水部材の半径方向内側および外側に弾性変形可能な外側変形部と、
前記レンズユニットの外周面に対向し、該外周面に当接した状態で前記防水部材の半径方向内側および外側に弾性変形可能な内側変形部と、を有する、撮像装置。
【請求項２】
請求項１に記載の撮像装置において、
前記防水部材は、前記外側および内側変形部の各々に連続する基部を有しており、
前記外側変形部は、前記基部から前記開口部の内周面に向かって突出しかつ前後方向に間隔をあけて一対となるように構成されており、
前記内側変形部は、前記基部から前記レンズユニットの外周面に向かって突出しかつ前後方向に間隔をあけて一対となるように構成されている、撮像装置。
【請求項３】
請求項２に記載の撮像装置において、
前記防水部材は、断面視で略Ｘ字状のＸリングからなる、撮像装置。
【請求項４】
請求項１に記載の撮像装置において、
前記防水部材は、断面視で略Ｕ字状または略Ｖ字状のリップパッキンからなる、撮像装置。
【請求項５】
請求項１〜４のいずれか１項に記載の撮像装置において、
前記開口部の内周面および前記レンズユニットの外周面の少なくとも一方には、前記防水部材を収容するための収容部が設けられている、撮像装置。
【請求項６】
請求項１〜５のいずれか１項に記載の撮像装置において、
前記防水部材は複数であり、
前記複数の防水部材は、前記レンズユニットの長手方向に沿って互いに間隔をあけて配置されている、撮像装置。
【発明の詳細な説明】
【技術分野】
【０００１】
本発明は、撮像装置に関するものである。
【背景技術】
【０００２】
従来、装置本体に対して回動操作可能なレンズユニットを備える撮像装置として、例えば特許文献１のような撮像装置が提案されている。
【０００３】
この特許文献１には、円形状の内周面が前後方向に延びるように形成された開口部が前側に形成された装置本体と、内部にレンズ部が設けられ、レンズユニット外周面と開口部の内周面との間に間隙が形成されかつ装置本体に対し回動操作可能となるように開口部内に収容された円筒状のレンズユニットと、を備えた撮像装置が開示されている。この撮像装置によると、撮影者が、撮影途中にレンズユニットの位置を自由に回動操作することで、縦横のフレーミングを変更することができる。
【先行技術文献】
【特許文献】
【０００４】
【特許文献１】特開２００４−３５００４７号公報
【発明の概要】
【発明が解決しようとする課題】
【０００５】
ところで、上記特許文献１の撮像装置においても、アクションカメラのように使用するために、防水性を高めることが考えられる。しかし、この特許文献１の撮像装置には、装置本体とレンズユニットとの間隙に防水部材が設けられていない。このため、例えばＯリングのような防水部材を上記間隙に設けることにより、上記特許文献１の撮像装置に対して、防水効果を付与することが考えられる。
【０００６】
しかしながら、一般的に、小型機器等に使用されるＯリングでは、嵌合部品の寸法バラツキを含め、確実に防水するためには線径に対してつぶし量を大きく確保しておく必要がある。このため、レンズユニットを装置本体に対して回動操作させたときに、Ｏリングと装置本体（開口部）の内周面およびレンズユニットの外周面の各々との接触圧が分散されずに摩擦力が増大してしまう。すなわち、Ｏリングによりレンズユニットの回動操作に伴う抵抗感が大きくなってしまうという問題が発生するのである。
【０００７】
したがって、上述のように特許文献１の撮像装置に対してＯリングを単に適用しただけの構成では、防水性を維持しつつも、レンズユニットの回動操作をスムーズに行うということができなかった。
【０００８】
本発明は斯かる点に鑑みてなされたものであり、その目的は、防水性を維持しつつレンズユニットの回動操作をスムーズに行うことができるようにすることにある。
【課題を解決するための手段】
【０００９】
上記の目的を達成するために、本発明の第１の形態は撮像装置に係るものであり、この撮像装置は、円形状の内周面が前後方向に延びるように形成された開口部を有する装置本体と、内部にレンズ部が設けられ、外周面と開口部の内周面との間に円環状の間隙が形成されかつ装置本体に対し回動操作可能となるように開口部内に収容された円筒状のレンズユニットと、間隙に配設された円環状の防水部材と、を備えている。防水部材は、開口部の内周面に対向し、該内周面に当接した状態で防水部材の半径方向内側および外側に弾性変形可能な外側変形部と、レンズユニットの外周面に対向し、外周面に当接した状態で防水部材の半径方向内側および外側に弾性変形可能な内側変形部と、を有することを特徴とする。
【００１０】
第１の形態において、防水部材は、外側および内側変形部が半径方向内側および外側に弾性変形するように構成されている。このため、レンズユニットを装置本体に対して回動操作させるときであっても、外側変形部および内側変形部が適宜撓むことにより、外側変形部が開口部の内周面に当接しかつ内側変形部がレンズユニットの外周面に当接した状態に維持される。その結果、装置本体とレンズユニットとの液密状態が適切に保たれるようになる。さらに、外側および内側変形部が撓むことにより、開口部の内周面およびレンズユニットの外周面の各々に対する防水部材の接触圧が分散されて摩擦力が抑制されるようになる。このため、レンズユニットの回動時における抵抗が低減し、レンズユニットの回動操作をスムーズに行うことが可能となる。したがって、第１の形態では、防水性を維持しつつレンズユニットの回動操作をスムーズに行うことができる。
【００１１】
第２の形態は、第１の形態において、防水部材は、外側および内側変形部の各々に連続する基部を有しており、外側変形部は、基部から開口部の内周面に向かって突出しかつ前後方向に間隔をあけて一対となるように構成されており、内側変形部は、基部からレンズユニットの外周面に向かって突出しかつ前後方向に間隔をあけて一対となるように構成されていることを特徴とする。
【００１２】
この第２の形態では、防水部材により開口部の内周面およびレンズユニットの外周面のそれぞれに対して前後方向に二重に密閉した状態となることから、装置本体とレンズユニットとの防水性をより一層高めることができる。
【００１３】
第３の形態は、第２の形態において、防水部材は、断面視で略Ｘ字状のＸリングからなることを特徴とする。
【００１４】
この第３の形態では、Ｘリングのような汎用品を防水部材に適用することにより、防水性を維持しつつスムーズにレンズユニットの回動操作が可能な撮像装置を容易に得ることができる。さらに、Ｘリングにより開口部の内周面およびレンズユニットの外周面のそれぞれに対して前後方向に二重に密閉した状態となることから、装置本体とレンズユニットとの防水性をより一層高めることができる。
【００１５】
第４の形態は、第１の形態において、防水部材は、断面視で略Ｕ字状または略Ｖ字状のリップパッキンからなることを特徴とする。
【００１６】
この第４の形態では、リップパッキンのような汎用品を防水部材に適用することにより、防水性を維持しつつスムーズにレンズユニットの回動操作が可能な撮像装置を容易に得ることができる。
【００１７】
第５の形態は、第１〜第４のいずれか１つの形態において、開口部の内周面およびレンズユニットの外周面の少なくとも一方には、防水部材を収容するための収容部が設けられていることを特徴とする。
【００１８】
第５の形態では、防水部材がレンズユニットの回転に伴って意図しない位置に移動しないように、防水部材を間隙内の所定位置に位置決めすることができる。
【００１９】
第６の形態は、第１〜第５のいずれか１つの形態において、防水部材は複数であり、複数の防水部材は、レンズユニットの長手方向に沿って互いに間隔をあけて配置されていることを特徴とする。
【００２０】
第６の形態では、複数の防水部材によりレンズユニットの長手方向に沿って多重の液密状態とすること可能となり、装置本体とレンズユニットとの防水性をより一層高めることができる。
【発明の効果】
【００２１】
以上説明したように、本発明によると、防水性を維持しつつレンズユニットの回動操作をスムーズに行うことができる。
【図面の簡単な説明】
【００２２】
【図１】図１は、本発明の第１実施形態に係る撮像装置を示す全体斜視図である。
【図２】図２は、撮像装置の正面図である。
【図３】図３は、撮像装置を構成する一部の要素を示す分解斜視図である。
【図４】図４は、防水部材（Ｘリング）の構成をその断面部分とともに概略的に示す斜視図である。
【図５】図５は、図２のV−V線断面図である。
【図６】図６は、図５のＡ部を拡大して示す部分拡大図である。
【図７】図７は、本発明の第２実施形態における防水部材（リップパッキン）の構成をその断面部分とともに概略的に示す図４相当図である。
【図８】図８は、本発明の第２実施形態に係る撮像装置の図６相当図である。
【発明を実施するための形態】
【００２３】
以下、本発明の各実施形態を図面に基づいて詳細に説明する。以下の各実施形態の説明は、本質的に例示に過ぎず、本発明、その適用物或いはその用途を制限することを意図するものではない。
【００２４】
［第１実施形態］
図１および図２は、本発明の第１実施形態に係る撮像装置１の全体を示している。この撮像装置１は、例えばデジタルカメラ、デジタルビデオカメラ等として用いられる。また、以下の説明において、撮像装置１に関し、後述するレンズ部２５が配置されている側を「前側」とし、後述する後側筐体部４が配置されている側を「後側」として撮像装置１の前後方向の位置関係を表すものとする。
【００２５】
図１および図２に示すように、撮像装置１は、装置本体２を備えている。装置本体２は、前側筐体部３、後側筐体部４、レンズカバー部５、操作部６，６、ファインダ部（図示せず）、および外筒部１０を主たる要素部材として有している。
【００２６】
図３に示すように、外筒部１０は、略円筒状に形成されていて、前後方向に貫通形成された開口部１１を有している。図５に示すように、開口部１１は、円形状の内周面１２が前後方向に延びるように形成されている。また、開口部１１の後側において、外筒部１０の内部には、内周面１２の後部に連続しかつ後述するフランジ部２３の前面側に対向する摺接面１２Ａ（図６参照）が設けられている。さらに、外筒部１０の後部は、前側筐体部３の前側で連結固定されている。なお、図５に関しては、図示の便宜上、外筒部１０ならびに後述する内筒部２１および防水部材４０についてのみ、各断面部分にハッチングを付している。
【００２７】
図３および図５に示すように、撮像装置１は、レンズユニット２０を備えている。このレンズユニット２０は、装置本体２と一体に取り付けられていて、レンズカバー部５の後側に連結固定された状態で外筒部１０の開口部１１内に収容されている。レンズユニット２０は、円筒状に形成された内筒部２１と、内筒部２１の内部に設けられたレンズ本体部２４とを有している。さらに、レンズ本体部２４は、その前端部に配設されたレンズ部２５と、レンズ本体部２４の後部に内蔵されたＣＣＤなどの長方形状の撮像素子（図示せず）とを有している。
【００２８】
内筒部２１には、その外周面２２から半径方向外側に向かって突出しかつ外周面２２の周方向に沿って延びるフランジ部２３が形成されている。そして、レンズユニット２０は、回動機構（図示せず）によりフランジ部２３が外筒部１０の摺接面１２Ａに対して摺動しながら、装置本体２に対しレンズ部２５のレンズ光軸Ｌを中心に０〜９０°の範囲で回動可能となっている。さらに、レンズユニット２０が開口部１１内に収容された状態において、内筒部２１の外周面２２と外筒部１０の内周面１２との間に円環状の間隙３０が形成されている。
【００２９】
なお、図示しないが、撮像装置１は、レンズユニット２０が基準位置となる０°の位置にあるときに撮像素子の長手方向が左右方向に沿うようになる一方、レンズユニット２０が９０°の位置（すなわち上記基準位置から９０°回動した位置）にあるときに上記撮像素子の長手方向が上下方向に沿うようになるように構成されている。
【００３０】
また、レンズユニット２０の外周面２２には、防水部材４０を収容するための収容部３１が形成されている。収容部３１は、フランジ部２３の前方に配設されている。具体的に、内筒部２１の外周面２２には半径方向外側に向かって突出しかつ外周面２２の周方向に沿って延びる突出部３２，３２が形成されていて、この突出部３２，３２同士の前後間に収容部３１が形成されている。
【００３１】
次に、図３〜図６に示すように、撮像装置１は、円環状の防水部材４０を備えている。防水部材４０を形成する材料としては、例えばシリコンゴム、ニトリルゴム、アクリルゴム、エチレンプロピレンゴム、フッ素ゴム等が挙げられる。防水部材４０は、間隙３０に配設されていて、水が外部から間隙３０を通って装置本体２内に浸入しないように構成されている。なお、図４〜図６では、防水部材４０を強調して示すために、防水部材４０の断面部分にドットによるハッチングを付している。
【００３２】
この実施形態において、防水部材４０は、断面視で略Ｘ字状のＸリングからなる。具体的に、防水部材４０は、基部４１と、基部４１に連続する外側変形部４２，４２および内側変形部４３，４３とを有している。
【００３３】
外側変形部４２，４２は、外筒部１０の内周面１２に当接した状態で防水部材４０の半径方向内側および外側に弾性変形可能に構成されている。具体的に、外側変形部４２，４２は、基部４１から内周面１２に向かって突出していて、先端部が内周面１２に対向するように配置されている。また、外側変形部４２，４２は、前後方向に間隔をあけて一対となるように構成されている。すなわち、外側変形部４２，４２は、断面視で略リップ状に形成されている。
【００３４】
内側変形部４３，４３は、内筒部２１の外周面２２に当接した状態で防水部材４０の半径方向内側および外側に弾性変形可能に構成されている。具体的に、内側変形部４３，４３は、基部４１から外周面２２に向かって突出していて、先端部が外周面２２に対向するように配置されている。また、内側変形部４３，４３は、前後方向に間隔をあけて一対となるように構成されている。すなわち、内側変形部４３，４３は、外側変形部４２，４２と同様に、断面視で略リップ状に形成されている。
【００３５】
（第１実施形態の作用効果）
以上のように、この実施形態において、防水部材４０は、外側変形部４２，４２および内側変形部４３，４３が半径方向内側および外側に弾性変形するように構成されている。このため、レンズユニット２０を外筒部１０（装置本体２）に対して回動操作させるときであっても、各外側変形部４２および各内側変形部４３が適宜撓むことにより、各外側変形部４２が開口部１１の内周面１２に当接しかつ各内側変形部４３が内筒部２１（レンズユニット２０）の外周面２２に当接した状態に維持される。その結果、外筒部１０（装置本体２）とレンズユニット２０との液密状態が適切に保たれるようになる。さらに、外側変形部４２，４２および内側変形部４３，４３が撓むことにより、内周面１２および外周面２２の各々に対する防水部材４０の接触圧が分散されて摩擦力が抑制されるようになる。このため、レンズユニット２０の回動時における抵抗が低減し、レンズユニット２０の回動操作をスムーズに行うことが可能となる。したがって、本発明の第１実施形態に係る撮像装置１では、防水性を維持しつつレンズユニット２０の回動操作をスムーズに行うことができる。
【００３６】
また、防水部材４０は、外側変形部４２，４２が基部４１から開口部１１の内周面１２に向かって突出しかつ前後方向に間隔をあけて一対となり、かつ内側変形部４３，４３が基部４１から内筒部２１の外周面２２に向かって突出しかつ前後方向に間隔をあけて一対となるように構成されている。このような防水部材４０により内周面１２および外周面２２のそれぞれに対して前後方向に二重に密閉した状態となる。このため、外筒部１０（装置本体２）とレンズユニット２０との防水性をより一層高めることができる。
【００３７】
また、この実施形態では、Ｘリングのような汎用品を防水部材４０に適用することにより、上述したような防水性を維持しつつスムーズにレンズユニット２０の回動操作が可能な撮像装置１を容易に得ることができる。さらに、Ｘリングにより内周面１２および外周面２２のそれぞれに対して前後方向に二重に密閉した状態となるため、上述のように外筒部１０（装置本体２）とレンズユニット２０との防水性をより一層高めることができる。
【００３８】
また、内筒部２１（レンズユニット２０）の外周面２２には、防水部材４０を収容するための収容部３１が設けられている。このため、防水部材４０がレンズユニット２０の回転に伴って意図しない位置に移動しないように、防水部材４０を間隙３０内の所定位置に位置決めすることができる。
【００３９】
［第２実施形態］
図７および図８は、本発明の第２実施形態に係る撮像装置１を示すものである。この実施形態では、防水部材４０の形状が上記第１実施形態のものと異なっている。なお、この実施形態に係る撮像装置１の他の構成は、上記第１実施形態に係る撮像装置１の構成と同様である。このため、以下の説明では、図１〜図６と同じ部分について同じ符号を付し、その詳細な説明を省略する。
【００４０】
図７および図８に示すように、この実施形態において、防水部材４０は断面視で略Ｕ字状または略Ｖ字状のリップパッキンからなる。すなわち、外側および内側変形部４２，４３がそれぞれ一つずつ形成されている。このリップパッキンのような汎用品を防水部材４０に適用することにより、防水性を維持しつつスムーズにレンズユニット２０の回動操作が可能な撮像装置１を容易に得ることができる。
【００４１】
［その他の実施形態］
上記各実施形態に係る撮像装置１として、防水部材４０を一つだけ配設した形態を示したが、この形態に限られない。すなわち、複数の防水部材４０，４０，…を、間隙３０においてレンズユニット２０の長手方向に沿って互いに間隔をあけて配置してもよい。これにより、レンズユニット２０の長手方向に沿って多重の液密状態とすることが可能となる。その結果、外筒部１０（装置本体２）とレンズユニット２０との防水性をより一層高めることができる。
【００４２】
また、上記各実施形態に係る撮像装置１として、収容部３１が内筒部２１の外周面２２に設けられた形態を示したが、この形態に限られない。すなわち、収容部３１が外筒部１０の内周面１２に設けられた形態であってもよい。
【００４３】
また、上記各実施形態に係る撮像装置１として、収容部３１が突出部３２，３２同士の前後間に形成された形態を示したが、この形態に限られない。例えば、収容部３１が、内筒部２１の外周面２２を凹陥状に形成しかつ外周面２２の周方向に延びる溝部からなる形態であってもよい。あるいは、収容部３１が、外筒部１０の内周面１２を凹陥状に形成しかつ内周面１２の周方向に延びる溝部からなる形態であってもよい。
【００４４】
また、上記各実施形態に係る撮像装置１として、収容部３１を設けた形態を示したが、この形態に限られず、収容部３１を設けない形態であってもよい。
【００４５】
また、上記各実施形態に係る撮像装置１として、外筒部１０の外形が正面視で円状に形成された形態を示したが、この形態に限られない。例えば、外筒部１０の外形が正面視で多角形状に形成されていてもよい。
【００４６】
また、上記各実施形態に係る撮像装置１では、レンズユニット２０が装置本体２と一体に取り付けられた形態を示したが、この形態に限られない。例えば、レンズユニット２０は、図示しないレンズマウント部により装置本体２に対し着脱可能となりかつレンズマウント部とともに装置本体２に対し回動操作可能となるように構成されていればよい。
【００４７】
以上、本発明についての実施形態を説明したが、本発明は上述の実施形態のみに限定されず、発明の範囲内で種々の変更が可能である。
【産業上の利用可能性】
【００４８】
本発明は、デジタルカメラ、デジタルビデオカメラ等の撮像装置として産業上の利用が可能である。
【符号の説明】
【００４９】
１：撮像装置
２：装置本体
１０：外筒部
１１：開口部
１２：内周面
２０：レンズユニット
２１：内筒部
２２：外周面
２３：フランジ部
２４：レンズ本体部
２５：レンズ部
３０：間隙
３１：収容部
３２：突出部
４０：防水部材
４１：基部
４２：外側変形部
４３：内側変形部
Ｌ：レンズ光軸
【図１】
2019002945.tif 000003
【図２】
2019002945.tif 000004
【図３】
2019002945.tif 000005
【図４】
2019002945.tif 000006
【図５】
2019002945.tif 000007
【図６】
2019002945.tif 000008
【図７】
2019002945.tif 000009
【図８】
2019002945.tif 000010